(57)【特許請求の範囲】
【請求項１】
基地局がエンハンスド物理ダウンリンク制御チャネル（ｅ−ＰＤＣＣＨ）を送信し得る探索空間を判断することと、ここで、前記探索空間は、物理リソースブロック（ＰＲＢ）ペアの周波数−時間リソースの１つまたは複数のフラクショナル部分を備える、
前記判断された探索空間に基づいて前記ｅ−ＰＤＣＣＨを復号しようと試みることと
を備え、
前記ＰＲＢペア中の前記ｅ−ＰＤＣＣＨのための多重化能力は、サブフレームタイプに依存し、前記ＰＲＢペア中の前記ｅ−ＰＤＣＣＨと物理ダウンリンク共有チャネル（ＰＤＳＣＨ）は、異なるアンテナポートを使用する、
ワイヤレス通信のための方法。
【請求項２】
前記リソースのフラクショナル部分は、周波数分割多重リソースを備える、請求項１に記載の方法。
【請求項３】
前記リソースのフラクショナル部分は、インターリーブされたトーンを備える、請求項１に記載の方法。
【請求項４】
前記ＰＲＢペア中で送信されるｅ−ＰＤＣＣＨの数にかかわらず、最大可能ランクに対応するパターンをもつ復調基準信号（ＤＭ−ＲＳ）を送信すること
をさらに備える、
請求項１に記載の方法。
【請求項５】
周波数−時間リソースの各フラクショナル部分が復調のためのアンテナポートに関連付けられる、
請求項１に記載の方法。
【請求項６】
周波数−時間リソースの前記１つまたは複数のフラクショナル部分へのｅ−ＰＤＣＣＨのマッピングは、第１に周波数、第２に時間の方法に従う、
請求項１に記載の方法。
【請求項７】
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
請求項１に記載の方法。
【請求項８】
前記多重化能力は、ｅ−ＰＤＣＣＨのためのリソース要素（ＲＥ）の数がしきい値を下回るときにより小さい、
請求項７に記載の方法。
【請求項９】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項１に記載の方法。
【請求項１０】
基地局がエンハンスド物理ダウンリンク制御チャネル（ｅ−ＰＤＣＣＨ）を送信し得る探索空間を判断するための手段と、ここで、前記探索空間は、物理リソースブロック（ＰＲＢ）ペアの周波数−時間リソースの１つまたは複数のフラクショナル部分を備える、
前記判断された探索空間に基づいて前記ｅ−ＰＤＣＣＨを復号しようと試みるための手段と
を備え、
前記ＰＲＢペア中のｅ−ＰＤＣＣＨのための多重化能力は、サブフレームタイプに依存し、前記ＰＲＢペア中の前記ｅ−ＰＤＣＣＨと物理ダウンリンク共有チャネル（ＰＤＳＣＨ）は、異なるアンテナポートを使用する、
ワイヤレス通信のための装置。
【請求項１１】
前記リソースのフラクショナル部分は、周波数分割多重リソースを備える、請求項１０に記載の装置。
【請求項１２】
前記リソースのフラクショナル部分がインターリーブされたトーンを備える、請求項１０に記載の装置。
【請求項１３】
前記ＰＲＢペア中で送信されるｅ−ＰＤＣＣＨの数にかかわらず、最大可能ランクに対応するパターンをもつ復調基準信号（ＤＭ−ＲＳ）を送信するための手段をさらに備える、
請求項１０に記載の装置。
【請求項１４】
周波数−時間リソースの各フラクショナル部分は、復調のためのアンテナポートに関連付けられる、
請求項１０に記載の装置。
【請求項１５】
周波数−時間リソースの前記１つまたは複数のフラクショナル部分へのｅ−ＰＤＣＣＨのマッピングは、第１に周波数、第２に時間の方法に従う、
請求項１０に記載の装置。
【請求項１６】
チャネル状態情報−基準信号（ＣＳＩ−ＲＳ）またはダウンリンクパイロットタイムスロット（ＤｗＰＴＳ）を含んでいるサブフレームについて、前記多重化能力が通常のダウンリンクサブフレームの多重化能力よりも小さい、
請求項１０に記載の装置。
【請求項１７】
前記多重化能力は、ｅ−ＰＤＣＣＨのためのリソース要素（ＲＥ）の数がしきい値を下回るときにより小さい、
請求項１６に記載の装置。
【請求項１８】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項１０に記載の装置。
【請求項１９】
基地局がエンハンスド物理ダウンリンク制御チャネル（ｅ−ＰＤＣＣＨ）を送信し得る探索空間を判断することと、ここで、前記探索空間は、物理リソースブロック（ＰＲＢ）ペアの周波数−時間リソースの１つまたは複数のフラクショナル部分を備える、
前記判断された探索空間に基づいて前記ｅ−ＰＤＣＣＨを復号しようと試みることと
を行うように構成される少なくとも１つのプロセッサと、
前記少なくとも１つのプロセッサに結合されたメモリと
を備え、
前記ＰＲＢペア中のｅ−ＰＤＣＣＨのための多重化能力は、サブフレームタイプに依存し、前記ＰＲＢペア中の前記ｅ−ＰＤＣＣＨと物理ダウンリンク共有チャネル（ＰＤＳＣＨ）は、異なるアンテナポートを使用する、
ワイヤレス通信のための装置。
【請求項２０】
前記リソースのフラクショナル部分は、周波数分割多重リソースを備える、請求項１９に記載の装置。
【請求項２１】
前記リソースのフラクショナル部分は、インターリーブされたトーンを備える、請求項１９に記載の装置。
【請求項２２】
前記少なくとも１つのプロセッサは、
前記ＰＲＢペア中で送信されるｅ−ＰＤＣＣＨの数にかかわらず、最大可能ランクに対応するパターンをもつ復調基準信号（ＤＭ−ＲＳ）を送信することを行うようにさらに構成される、
請求項１９に記載の装置。
【請求項２３】
周波数−時間リソースの各フラクショナル部分は、復調のためのアンテナポートに関連付けられる、
請求項１９に記載の装置。
【請求項２４】
周波数−時間リソースの前記１つまたは複数のフラクショナル部分へのｅ−ＰＤＣＣＨのマッピングが第１に周波数、第２に時間の方法に従う、
請求項１９に記載の装置。
【請求項２５】
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
請求項１９に記載の装置。
【請求項２６】
前記多重化能力は、ｅ−ＰＤＣＣＨのためのリソース要素（ＲＥ）の数がしきい値を下回るときにより小さい、
請求項２５に記載の装置。
【請求項２７】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項１９に記載の装置。
【請求項２８】
ワイヤレス通信のためのコンピュータプログラムであって、前記コンピュータプログラムは、コードを備え、前記コードは、
基地局がエンハンスド物理ダウンリンク制御チャネル（ｅ−ＰＤＣＣＨ）を送信し得る探索空間を判断することと、ここで、前記探索空間は、物理リソースブロック（ＰＲＢ）ペアの周波数−時間リソースの１つまたは複数のフラクショナル部分を備える、
前記判断された探索空間に基づいて前記ｅ−ＰＤＣＣＨを復号しようと試みることとを行うために、１つまたは複数のプロセッサによって実行可能であり、
前記ＰＲＢペア中のｅ−ＰＤＣＣＨのための多重化能力は、サブフレームタイプに依存し、前記ＰＲＢペア中の前記ｅ−ＰＤＣＣＨと物理ダウンリンク共有チャネル（ＰＤＳＣＨ）は、異なるアンテナポートを使用する、
コンピュータプログラム。
【請求項２９】
前記リソースのフラクショナル部分は、周波数分割多重リソースを備える、請求項２８に記載のコンピュータプログラム。
【請求項３０】
前記リソースのフラクショナル部分は、インターリーブされたトーンを備える、請求項２８に記載のコンピュータプログラム。
【請求項３１】
前記ＰＲＢペア中で送信されるｅ−ＰＤＣＣＨの数にかかわらず、最大可能ランクに対応するパターンをもつ復調基準信号（ＤＭ−ＲＳ）を送信することを行うためのコードをさらに備える、
請求項２８に記載のコンピュータプログラム。
【請求項３２】
周波数−時間リソースの各フラクショナル部分が復調のためのアンテナポートに関連付けられる、
請求項２８に記載のコンピュータプログラム。
【請求項３３】
周波数−時間リソースの前記１つまたは複数のフラクショナル部分へのｅ−ＰＤＣＣＨのマッピングは、第１に周波数、第２に時間の方法に従う、
請求項２８に記載のコンピュータプログラム。
【請求項３４】
チャネル状態情報−基準信号（ＣＳＩ−ＲＳ）またはダウンリンクパイロットタイムスロット（ＤｗＰＴＳ）を含んでいるサブフレームについて、前記多重化能力が通常のダウンリンクサブフレームの多重化能力よりも小さい、
請求項２８に記載のコンピュータプログラム。
【請求項３５】
前記多重化能力は、ｅ−ＰＤＣＣＨのためのリソース要素（ＲＥ）の数がしきい値を下回るときにより小さい、
請求項３４に記載のコンピュータプログラム。
【請求項３６】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項２８に記載のコンピュータプログラム。
【請求項３７】
エンハンスド物理ダウンリンク制御チャネル（ｅ−ＰＤＣＣＨ）を送信するために利用可能なリソースの探索空間を判断することと、ここで、前記探索空間は、物理リソースブロック（ＰＲＢ）ペアの周波数−時間リソースの１つまたは複数のフラクショナル部分を備える、
前記判断された探索空間のリソースを利用して前記ｅ−ＰＤＣＣＨを送信することと
を備え、
前記ＰＲＢペア中のｅ−ＰＤＣＣＨのための多重化能力は、サブフレームタイプに依存し、前記ＰＲＢペア中の前記ｅ−ＰＤＣＣＨと物理ダウンリンク共有チャネル（ＰＤＳＣＨ）は、異なるアンテナポートを使用する、
ワイヤレス通信のための方法。
【請求項３８】
前記リソースのフラクショナル部分は、周波数分割多重リソースを備える、請求項３７に記載の方法。
【請求項３９】
前記リソースのフラクショナル部分は、インターリーブされたトーンを備える、請求項３７に記載の方法。
【請求項４０】
前記ＰＲＢペア中で送信されるｅ−ＰＤＣＣＨの数にかかわらず、最大可能ランクに対応するパターンをもつ復調基準信号（ＤＭ−ＲＳ）を受信することをさらに備える、請求項３７に記載の方法。
【請求項４１】
周波数−時間リソースの各フラクショナル部分は、復調のためのアンテナポートに関連付けられる、
請求項３７に記載の方法。
【請求項４２】
周波数−時間リソースの前記１つまたは複数のフラクショナル部分へのｅ−ＰＤＣＣＨのマッピングは、第１に周波数、第２に時間の方法に従う、
請求項３７に記載の方法。
【請求項４３】
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
請求項３７に記載の方法。
【請求項４４】
前記多重化能力は、ｅ−ＰＤＣＣＨのためのリソース要素（ＲＥ）の数がしきい値を下回るときにより小さい、
請求項４３に記載の方法。
【請求項４５】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項３７に記載の方法。
【請求項４６】
エンハンスド物理ダウンリンク制御チャネル（ｅ−ＰＤＣＣＨ）を送信するために利用可能なリソースの探索空間を判断するための手段と、ここで、前記探索空間は、物理リソースブロック（ＰＲＢ）ペアの周波数−時間リソースの１つまたは複数のフラクショナル部分を備える、
前記判断された探索空間のリソースを利用して前記ｅ−ＰＤＣＣＨを送信するための手段と
を備え、
前記ＰＲＢペア中のｅ−ＰＤＣＣＨのための多重化能力は、サブフレームタイプに依存し、前記ＰＲＢペア中の前記ｅ−ＰＤＣＣＨと物理ダウンリンク共有チャネル（ＰＤＳＣＨ）は、異なるアンテナポートを使用する、
ワイヤレス通信のための装置。
【請求項４７】
前記リソースのフラクショナル部分は、周波数分割多重リソースを備える、請求項４６に記載の装置。
【請求項４８】
前記リソースのフラクショナル部分は、インターリーブされたトーンを備える、請求項４６に記載の装置。
【請求項４９】
前記ＰＲＢペア中で送信されるｅ−ＰＤＣＣＨの数にかかわらず、最大可能ランクに対応するパターンをもつ復調基準信号（ＤＭ−ＲＳ）を受信するための手段をさらに備える、
請求項４６に記載の装置。
【請求項５０】
周波数−時間リソースの各フラクショナル部分は、復調のためのアンテナポートに関連付けられる、
請求項４６に記載の装置。
【請求項５１】
周波数−時間リソースの前記１つまたは複数のフラクショナル部分へのｅ−ＰＤＣＣＨのマッピングは、第１に周波数、第２に時間の方法に従う、
請求項４６に記載の装置。
【請求項５２】
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
請求項４６に記載の装置。
【請求項５３】
前記多重化能力は、ｅ−ＰＤＣＣＨのためのリソース要素（ＲＥ）の数がしきい値を下回るときにより小さい、
請求項５２に記載の装置。
【請求項５４】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項４６に記載の装置。
【請求項５５】
エンハンスド物理ダウンリンク制御チャネル（ｅ−ＰＤＣＣＨ）を送信するために利用可能なリソースの探索空間を判断することと、ここで、前記探索空間が物理リソースブロック（ＰＲＢ）ペアの周波数−時間リソースの１つまたは複数のフラクショナル部分を備える、
前記判断された探索空間のリソースを利用して前記ｅ−ＰＤＣＣＨを送信することと
を行うように構成される少なくとも１つのプロセッサと、
前記少なくとも１つのプロセッサに結合されたメモリと
を備え、
前記ＰＲＢペア中のｅ−ＰＤＣＣＨのための多重化能力は、サブフレームタイプに依存し、前記ＰＲＢペア中の前記ｅ−ＰＤＣＣＨと物理ダウンリンク共有チャネル（ＰＤＳＣＨ）は、異なるアンテナポートを使用する、
ワイヤレス通信のための装置。
【請求項５６】
前記リソースのフラクショナル部分は、周波数分割多重リソースを備える、請求項５５に記載の装置。
【請求項５７】
前記リソースのフラクショナル部分は、インターリーブされたトーンを備える、請求項５５に記載の装置。
【請求項５８】
前記少なくとも１つのプロセッサは、
前記ＰＲＢペア中で送信されるｅ−ＰＤＣＣＨの数にかかわらず、最大可能ランクに対応するパターンをもつ復調基準信号（ＤＭ−ＲＳ）を受信することを行うようにさらに構成される、
請求項５５に記載の装置。
【請求項５９】
周波数−時間リソースの各フラクショナル部分は、復調のためのアンテナポートに関連付けられる、
請求項５５に記載の装置。
【請求項６０】
周波数−時間リソースの前記１つまたは複数のフラクショナル部分へのｅ−ＰＤＣＣＨのマッピングは、第１に周波数、第２に時間の方法に従う、
請求項５５に記載の装置。
【請求項６１】
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
請求項５５に記載の装置。
【請求項６２】
前記多重化能力は、ｅ−ＰＤＣＣＨのためのリソース要素（ＲＥ）の数がしきい値を下回るときにより小さい、
請求項６１に記載の装置。
【請求項６３】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項５５に記載の装置。
【請求項６４】
ワイヤレス通信のためのコンピュータプログラムであって、前記コンピュータプログラムは、コードを備え、前記コードは、
エンハンスド物理ダウンリンク制御チャネル（ｅ−ＰＤＣＣＨ）を送信するために利用可能なリソースの探索空間を判断することと、ここで、前記探索空間は、物理リソースブロック（ＰＲＢ）ペアの周波数−時間リソースの１つまたは複数のフラクショナル部分を備える、
前記判断された探索空間のリソースを利用して前記ｅ−ＰＤＣＣＨを送信することと
を行うために、１つまたは複数のプロセッサによって実行可能であり、
前記ＰＲＢペア中のｅ−ＰＤＣＣＨのための多重化能力は、サブフレームタイプに依存し、前記ＰＲＢペア中の前記ｅ−ＰＤＣＣＨと物理ダウンリンク共有チャネル（ＰＤＳＣＨ）は、異なるアンテナポートを使用する、
コンピュータプログラム。
【請求項６５】
前記リソースのフラクショナル部分は、周波数分割多重リソースを備える、請求項６４に記載のコンピュータプログラム。
【請求項６６】
前記リソースのフラクショナル部分は、インターリーブされたトーンを備える、請求項６４に記載のコンピュータプログラム。
【請求項６７】
前記ＰＲＢペア中で送信されるｅ−ＰＤＣＣＨの数にかかわらず、最大可能ランクに対応するパターンをもつ復調基準信号（ＤＭ−ＲＳ）を受信するためのコードをさらに備える、
請求項６４に記載のコンピュータプログラム。
【請求項６８】
周波数−時間リソースの各フラクショナル部分は、復調のためのアンテナポートに関連付けられる、
請求項６４に記載のコンピュータプログラム。
【請求項６９】
周波数−時間リソースの前記１つまたは複数のフラクショナル部分へのｅ−ＰＤＣＣＨのマッピングは、第１に周波数、第２に時間の方法に従う、
請求項６４に記載のコンピュータプログラム。
【請求項７０】
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
請求項６４に記載のコンピュータプログラム。
【請求項７１】
前記多重化能力は、ｅ−ＰＤＣＣＨのためのリソース要素（ＲＥ）の数がしきい値を下回るときにより小さい、
請求項７０に記載のコンピュータプログラム。
【請求項７２】
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
請求項６４に記載のコンピュータプログラム。
【発明の詳細な説明】
【関連出願】
【０００１】
本出願は、その全体が参照により本明細書に組み込まれる、２０１１年１１月４日に出願された「STRUCTURE OF ENHANCED PHYSICAL DOWNLINK CONTROL CHANNEL (E-PDCCH) IN LONG TERM EVOLUTION (LTE)」と題する、米国仮特許出願第６１／５５６，０９６号の利益を主張する。
【技術分野】
【０００２】
本開示の態様は、一般にワイヤレス通信システムに関し、より詳細には、エンハンスド物理ダウンリンク制御チャネル（ｅ−ＰＤＣＣＨ：enhanced physical downlink control channel）の構造を定義することに関する。
【背景技術】
【０００３】
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【発明の概要】
【０００５】
本開示のいくつかの態様は、ワイヤレス通信のための方法を提供する。本方法は、概して、基地局がエンハンスド物理ダウンリンク制御チャネル（ｅ−ＰＤＣＣＨ）を送信し得る探索空間を判断することと、ここで、探索空間は、物理リソースブロック（ＰＲＢ：physical resource block）ペアの周波数−時間リソースの１つまたは複数のフラクショナル部分を備える、判断された探索空間に基づいてｅ−ＰＤＣＣＨを復号しようと試みることとを含む。
【０００６】
本開示のいくつかの態様は、ワイヤレス通信のための方法を提供する。本方法は、概して、エンハンスド物理ダウンリンク制御チャネル（ｅ−ＰＤＣＣＨ）を送信するために利用可能なリソースの探索空間を判断することと、ここで、探索空間は、物理リソースブロック（ＰＲＢ）ペアの周波数−時間リソースの１つまたは複数のフラクショナル部分を備える、判断された探索空間のリソースを利用してｅ−ＰＤＣＣＨを送信することとを含む。
【０００７】
本開示のいくつかの態様は、ワイヤレス通信のための装置を提供する。本装置は、概して、基地局がエンハンスド物理ダウンリンク制御チャネル（ｅ−ＰＤＣＣＨ）を送信し得る探索空間を判断するための手段と、ここで、探索空間は、物理リソースブロック（ＰＲＢ）ペアの周波数−時間リソースの１つまたは複数のフラクショナル部分を備える、判断された探索空間に基づいてｅ−ＰＤＣＣＨを復号しようと試みるための手段とを含む。
【０００８】
本開示のいくつかの態様は、ワイヤレス通信のための装置を提供する。本装置は、概して、エンハンスド物理ダウンリンク制御チャネル（ｅ−ＰＤＣＣＨ）を送信するために利用可能なリソースの探索空間を判断するための手段と、ここで、探索空間が物理リソースブロック（ＰＲＢ）ペアの周波数−時間リソースの１つまたは複数のフラクショナル部分を備える、判断された探索空間のリソースを利用してｅ−ＰＤＣＣＨを送信するための手段とを含む。
【０００９】
本開示のいくつかの態様は、ワイヤレス通信のための装置を提供する。本装置は、概して、少なくとも１つのプロセッサと、少なくとも１つのプロセッサに結合されたメモリとを含む。少なくとも１つのプロセッサは、概して、基地局がエンハンスド物理ダウンリンク制御チャネル（ｅ−ＰＤＣＣＨ）を送信し得る探索空間を判断することと、ここで、探索空間は、物理リソースブロック（ＰＲＢ）ペアの周波数−時間リソースの１つまたは複数のフラクショナル部分を備える、判断された探索空間に基づいてｅ−ＰＤＣＣＨを復号しようと試みることとを行うように構成される。
【００１０】
本開示のいくつかの態様は、ワイヤレス通信のための装置を提供する。本装置は、概して、少なくとも１つのプロセッサと、少なくとも１つのプロセッサに結合されたメモリとを含む。少なくとも１つのプロセッサは、概して、エンハンスド物理ダウンリンク制御チャネル（ｅ−ＰＤＣＣＨ）を送信するために利用可能なリソースの探索空間を判断することと、ここで、探索空間は、物理リソースブロック（ＰＲＢ）ペアの周波数−時間リソースの１つまたは複数のフラクショナル部分を備える、判断された探索空間のリソースを利用してｅ−ＰＤＣＣＨを送信することとを行うように構成される。
【００１１】
本開示のいくつかの態様は、ワイヤレス通信のためのコンピュータプログラム製品を提供する。本コンピュータプログラム製品は、概して、コードを記録した非一時的コンピュータ可読媒体を含む。コードは、概して、基地局がエンハンスド物理ダウンリンク制御チャネル（ｅ−ＰＤＣＣＨ）を送信し得る探索空間を判断することと、ここで、探索空間は、物理リソースブロック（ＰＲＢ）ペアの周波数−時間リソースの１つまたは複数のフラクショナル部分を備える、判断された探索空間に基づいてｅ−ＰＤＣＣＨを復号しようと試みることとを行うために、１つまたは複数のプロセッサによって実行可能である。
【００１２】
本開示のいくつかの態様は、ワイヤレス通信のためのコンピュータプログラム製品を提供する。本コンピュータプログラム製品は、概して、コードを記録した非一時的コンピュータ可読媒体を含む。コードは、概して、エンハンスド物理ダウンリンク制御チャネル（ｅ−ＰＤＣＣＨ）を送信するために利用可能なリソースの探索空間を判断することと、ここで、探索空間が物理リソースブロック（ＰＲＢ）ペアの周波数−時間リソースの１つまたは複数のフラクショナル部分を備える、判断された探索空間のリソースを利用してｅ−ＰＤＣＣＨを送信することとを行うために、１つまたは複数のプロセッサによって実行可能である。
【図面の簡単な説明】
【００１３】
【図１】本開示の態様に従って、電気通信システムの一例を概念的に示すブロック図。
【図２】本開示の態様に従って、電気通信システムにおけるダウンリンクフレーム構造の一例を概念的に示すブロック図。
【図３】本開示の一態様に従って構成される基地局／ｅノードＢおよびＵＥの設計を概念的に示すブロック図。
【図４Ａ】本開示の態様による、連続キャリアアグリゲーションタイプを示す図。
【図４Ｂ】本開示の態様による、不連続キャリアアグリゲーションタイプを示す図。
【図５】本開示の態様による、ＭＡＣレイヤデータアグリゲーションを示す図。
【図６】本開示の態様による、複数キャリア構成において無線リンクを制御するための方法を示すブロック図。
【図７】本開示の態様による、ｅ−ＰＤＣＣＨの送信のための可能な構造を示す図。
【図８】本開示の態様による、ＭＵ−ＭＩＭＯ設計によるｅ−ＰＤＣＣＨのためのより微細なリソース粒度を示す図。
【図９】本開示の態様による、連続トーンを使用するｅ−ＰＤＣＣＨのためのより微細なリソース粒度を示す図。
【図１０】本開示の態様による、インターリービングを使用するｅ−ＰＤＣＣＨのためのより微細なリソース粒度を示す図。
【図１１】本開示の態様による、マッピングＣＣＥを示す図。
【図１２】本開示の態様による、ｅ−ＰＤＣＣＨとＰＤＳＣＨとの間の例示的な相互作用を示す図。
【図１３】本開示の態様による、たとえば、ＵＥによって実行され得る例示的な動作を示す図。
【図１４】本開示の態様による、たとえば、ＢＳによって実行され得る例示的な動作を示す図。
【発明を実施するための形態】
【００１４】
添付の図面に関して以下に示す発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１５】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」と「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、グローバルシステムフォーモバイルコミュニケーション（ＧＳＭ（登録商標）：Global System for Mobile Communications）などの無線技術を実装し得る。ＯＦＤＭＡネットワークは、Ｅｖｏｌｖｅｄ  ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２）という名称の組織からの文書に記載されている。本明細書で説明する技法は、上記のワイヤレスネットワークおよび無線技術、ならびに他のワイヤレスネットワークおよび無線技術に使用され得る。明快のために、本技法のいくつか
の態様について以下ではＬＴＥに関して説明し、以下の説明の大部分でＬＴＥ用語を使用する。
【００１６】
図１に、ワイヤレス通信ネットワーク１００を示し、これはＬＴＥネットワークであり得る。ワイヤレスネットワーク１００は、いくつかの発展型ノードＢ（ｅノードＢ）１１０と他のネットワークエンティティとを含み得る。ｅノードＢは、ＵＥ１２０と通信する局であり得、基地局、アクセスポイントなどと呼ばれることもある。ノードＢは、ＵＥと通信する局の別の例である。
【００１７】
各ｅノードＢ１１０は、特定の地理的エリアに通信カバレージを与え得る。３ＧＰＰでは、「セル」という用語は、この用語が使用されるコンテキストに応じて、ｅノードＢ１１０のカバレージエリアおよび／またはこのカバレージエリアをサービスしているｅノードＢサブシステムを指すことがある。
【００１８】
ｅノードＢは、マクロセル１０２Ａ、１０２ｂ、１０３ｃ、ピコセル１０２ｘ、フェムトセル１０２ｙ、１０２ｚ、および／または他のタイプのセルに通信カバレージを与え得る。マクロセル１０２ａは、比較的大きい地理的エリア（たとえば、半径数キロメートル）をカバーし得、サービスに加入しているＵＥ１２０による無制限アクセスを可能にし得る。ピコセル１０２ｘは、比較的小さい地理的エリアをカバーし得、サービスに加入しているＵＥ１２０による無制限アクセスを可能にし得る。フェムトセル１０２ｙ、１０２ｚは、比較的小さい地理的エリア（たとえば、自宅）をカバーでき、フェムトセル１０２ｙ、１０２ｚとの関連を有するＵＥ１２０（たとえば、限定加入者グループ（ＣＳＧ：Closed Subscriber Group）中のＵＥ、自宅内のユーザのためのＵＥなど）による限定アクセスを可能にし得る。マクロセルのためのｅノードＢはマクロｅノードＢと呼ばれることがある。ピコセルのためのｅノードＢはピコｅノードＢと呼ばれることがある。また、フェムトセルのためのｅノードＢはフェムトｅノードＢまたはホームｅノードＢと呼ばれることがある。図１に示す例では、ｅノードＢ１１０ａ、１１０ｂおよび１１０ｃは、それぞれマクロセル１０２ａ、１０２ｂおよび１０２ｃのためのマクロｅノードＢであり得る。ｅノードＢ１１０ｘは、ピコセル１０２ｘのためのピコｅノードＢであり得る。ｅノードＢ１１０ｙおよび１１０ｚは、それぞれフェムトセル１０２ｙおよび１０２ｚのためのフェムトｅノードＢであり得る。ｅノードＢは、１つまたは複数の（たとえば、３つの）セルをサポートし得る。
【００１９】
ワイヤレスネットワーク１００はまた、中継局を含み得る。中継局は、上流局（たとえば、ｅノードＢまたはＵＥなど）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示す例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、中継ｅノードＢ、中継器などと呼ばれることもある。
【００２０】
ワイヤレスネットワーク１００は、様々なタイプのｅノードＢ、たとえば、マクロｅノードＢ、ピコｅノードＢ、フェムトｅノードＢ、中継器などを含む異種ネットワークであり得る。これらの様々なタイプのｅノードＢは、様々な送信電力レベル、様々なカバレージエリア、およびワイヤレスネットワーク１００中の干渉に対する様々な影響を有し得る。たとえば、マクロｅノードＢは、高い送信電力レベル（たとえば、２０ワット）を有し得るが、ピコｅノードＢ、フェムトｅノードＢ、および中継器は、より低い送信電力レベル（たとえば、１ワット）を有し得る。
【００２１】
ワイヤレスネットワーク１００は、同期動作または非同期動作をサポートし得る。同期動作の場合、ｅノードＢは同様のフレームタイミングを有し得、異なるｅノードＢからの送信は近似的に時間的にアラインされ得る。非同期動作の場合、ｅノードＢは異なるフレームタイミングを有し得、異なるｅノードＢからの送信は時間的にアラインされないことがある。本明細書で説明する技法は、同期動作と非同期動作の両方のために使用され得る。
【００２２】
ネットワークコントローラ１３０は、ｅノードＢ１１０のセットに結合し、これらのｅノードＢの協調および制御を行い得る。ネットワークコントローラ１３０は、バックホールを介してｅノードＢ１１０と通信し得る。ｅノードＢ１１０はまた、たとえば、ワイヤレスバックホールまたはワイヤラインバックホールを介して直接または間接的に互いに通信し得る。
【００２３】
ＵＥ１２０は、ワイヤレスネットワーク１００全体にわたって分散され得、各ＵＥは、固定でも移動でもよい。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局などであり得る。ＵＥは、マクロｅノードＢ、ピコｅノードＢ、フェムトｅノードＢ、中継器などと通信することが可能であり得る。図１において、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉送信を示す。
【００２４】
ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００２５】
図２に、ＬＴＥにおいて使用されるダウンリンクフレーム構造２００を示す。ダウンリンクの送信タイムラインは、無線フレーム２０２の単位に区分され得る。各無線フレームは、所定の持続時間（たとえば、１０ミリ秒（ｍｓ））を有し得、０〜９のインデックスをもつ１０個のサブフレーム２０４に区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は１４個のシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２６】
ＬＴＥでは、ｅノードＢは、ｅノードＢ中の各セルについてプライマリ同期信号（ＰＳＳ：primary synchronization signal）とセカンダリ同期信号（ＳＳＳ：secondary synchronization signal）とを送り得る。プライマリ同期信号およびセカンダリ同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅノードＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２７】
ｅノードＢは、図２の第１のシンボル期間全体において示されているが、各サブフレームの第１のシンボル期間の一部のみの中で、物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅノードＢは、各サブフレームの最初のＭ個（図２ではＭ＝３）のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。図２の第１のシンボル期間の中には示されていないが、ＰＤＣＣＨおよびＰＨＩＣＨは、第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅノードＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００２８】
ｅノードＢは、ｅノードＢによって使用されるシステム帯域幅の中心１．０８ＭＨｚにおいてＰＳＳ、ＳＳＳおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分において特定のＵＥにＰＤＳＣＨを送り得る。ｅノードＢは、すべてのＵＥにブロードキャスト方法でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００２９】
各シンボル期間においていくつかのリソース要素が利用可能であり得る。各リソース要素は、１つのシンボル期間中に１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に配置され得る。各ＲＥＧは、１つのシンボル期間中の４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨ用の３つのＲＥＧは、すべてシンボル期間０中に属し得るか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００３０】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅノードＢは、ＵＥが探索することになる組合せのいずれかにおいてＵＥにＰＤＣＣＨを送り得る。
【００３１】
ＵＥは、複数のｅノードＢのカバレージ内にあり得る。そのＵＥをサービスするために、これらのｅノードＢのうちの１つが選択され得る。サービングｅノードＢは、受信電力、パスロス、信号対雑音比（ＳＮＲ）など、様々な基準に基づいて選択され得る。
【００３２】
図３に、図１の基地局／ｅノードＢのうちの１つおよびＵＥのうちの１つであり得る、基地局／ｅノードＢ１１０およびＵＥ１２０の設計を示すブロック図３００を示す。制限付き関連付けシナリオの場合、基地局１１０は図１のマクロｅノードＢ１１０ｃであり得、ＵＥ１２０はＵＥ１２０ｙであり得る。基地局１１０はまた、何らかの他のタイプの基地局であり得る。基地局１１０はアンテナ３３４ａ〜３３４ｔを備え得、ＵＥ１２０はアンテナ３５２ａ〜３５２ｒを備え得る。
【００３３】
基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ３２０は、データと制御情報とを処理（たとえば、符号化およびシンボルマッピング）して、それぞれデータシンボルと制御シンボルとを取得し得る。プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ６３０は、適用可能な場合、データシンボル、制御シンボル、および／または基準シンボルに対して空間処理（たとえば、プリコーディング）を実行し得、出力シンボルストリームを変調器（ＭＯＤ）３３２ａ〜３３２ｔに与え得る。各変調器３３２は、（たとえば、ＯＦＤＭなどのための）それぞれの出力シンボルストリームを処理して、出力サンプルストリームを取得し得る。各変調器３３２はさらに、出力サンプルストリームを処理（たとえば、アナログへの変換、増幅、フィルタ処理、およびアップコンバート）して、ダウンリンク信号を取得し得る。変調器３３２ａ〜３３２ｔからのダウンリンク信号は、それぞれアンテナ３３４ａ〜３３４ｔを介して送信され得る。
【００３４】
ＵＥ１２０において、アンテナ３５２ａ〜３５２ｒは、基地局１１０からダウンリンク信号を受信し得、受信信号をそれぞれ復調器（ＤＥＭＯＤ）３５４ａ〜３５４ｒに与え得る。各復調器３５４は、それぞれの受信信号を調整（たとえば、フィルタ処理、増幅、ダウンコンバート、およびデジタル化）して、入力サンプルを取得し得る。各復調器３５４は、（たとえば、ＯＦＤＭなどのために）入力サンプルをさらに処理して、受信シンボルを取得し得る。ＭＩＭＯ検出器３５６は、すべての復調器３５４ａ〜３５４ｒから受信シンボルを取得し、適用可能な場合は受信シンボルに対してＭＩＭＯ検出を実行し、検出シンボルを与え得る。受信プロセッサ３５８は、検出シンボルを処理（たとえば、復調、デインターリーブ、および復号）し、ＵＥ１２０の復号されたデータをデータシンク３６０に与え、復号された制御情報をコントローラ／プロセッサ３８０に与え得る。
【００３５】
アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）復調器３５４ａ〜３５４ｒによって処理され、基地局１１０に送信され得る。基地局１１０において、ＵＥ１２０からのアップリンク信号は、アンテナ３３４によって受信され、変調器３３２によって処理され、適用可能な場合はＭＩＭＯ検出器３３６によって検出され、さらに受信プロセッサ３３８によって処理されて、ＵＥ１２０によって送られた復号されたデータおよび制御情報が取得され得る。受信プロセッサ３３８は、復号されたデータをデータシンク３３９に与え、復号された制御情報をコントローラ／プロセッサ３４０に与え得る。
【００３６】
コントローラ／プロセッサ３４０および３８０は、それぞれ基地局１１０およびＵＥ１２０における動作を指示し得る。基地局１１０におけるプロセッサ３４０および／または他のプロセッサおよびモジュールは、本明細書で説明する技法のための様々なプロセスを実行するかまたはその実行を指示し得る。ＵＥ１２０におけるプロセッサ３８０および／または他のプロセッサならびにモジュールはまた、図４Ａ〜図１４の図および／または本明細書で説明する技法のための他のプロセスを実行するかまたはその実行を指示し得る。メモリ３４２および３８２は、それぞれ基地局１１０およびＵＥ１２０のためのデータおよびプログラムコードを記憶し得る。スケジューラ３４４は、ダウンリンクおよび／またはアップリンク上でのデータ送信のためにＵＥをスケジュールし得る。
【００３７】
一構成では、ワイヤレス通信のためのＵＥ１２０は、ＵＥの接続モード中に干渉基地局からの干渉を検出するための手段と、干渉基地局の得られたリソースを選択するための手段と、得られたリソース上の物理ダウンリンク制御チャネルの誤り率を取得するための手段と、誤り率が所定のレベルを超えたことに応答して実行可能である、無線リンク障害を宣言するための手段とを含む。一態様では、上述の手段は、上述の手段によって具陳される機能を実行するように構成される、（１つまたは複数の）プロセッサ、コントローラ／プロセッサ３８０、メモリ３８２、受信プロセッサ３５８、ＭＩＭＯ検出器３５６、復調器３５４ａ、およびアンテナ３５２ａであり得る。別の態様では、上述の手段は、上述の手段によって具陳される機能を実行するように構成されるモジュールまたは任意の装置であり得る。
【００３８】
一構成では、ワイヤレス通信のためのＵＥ１２０は、基地局（ｅノードＢ）１１０がｅ−ＰＤＣＣＨを送信し得る探索空間を判断するための手段と、ここで、探索空間は、ＰＲＢペアの周波数−時間リソースのフラクショナル部分を備える、判断された探索空間に基づいてｅ−ＰＤＣＣＨを復号しようと試みるための手段とを含む。一態様では、（１つまたは複数の）プロセッサ、コントローラ／プロセッサ３８０、メモリ３８２、受信プロセッサ３５８、ＭＩＭＯ検出器３５６、復調器３５４ａ、およびアンテナ３５２であり得る上述の手段は、具陳される機能を実行するように構成される。別の態様では、上述の手段は、上述の手段によって具陳される機能を実行するように構成されるモジュールまたは任意の装置であり得る。
【００３９】
一構成では、ワイヤレス通信のためのｅノードＢ１１０は、ｅ−ＰＤＣＣＨを送信するために利用可能なリソースの探索空間を判断するための手段と、ここで、探索空間は、ＰＲＢペアの周波数−時間リソースのフラクショナル部分を備える、判断された探索空間のリソースを利用してｅ−ＰＤＣＣＨを送信するための手段とを含む。一態様では、（１つまたは複数の）プロセッサ、コントローラ／プロセッサ３４０、メモリ３４２、送信プロセッサ３２０、ＭＩＭＯプロセッサ３３０、およびアンテナ３３４であり得る上述の手段は具陳される機能を実行するように構成される。別の態様では、上述の手段は、上述の手段によって具陳される機能を実行するように構成されるモジュールまたは任意の装置であり得る。
【００４０】
キャリアアグリゲーション  
ＬＴＥアドバンストＵＥは、各方向への送信のために使用される最高で合計１００Ｍｈｚ（５つのコンポーネントキャリア）のキャリアアグリゲーションにおいて割り振られた、最高２０Ｍｈｚ帯域幅のスペクトルを使用する。概して、アップリンク上ではダウンリンクよりも少ないトラフィックが送信され、したがって、アップリンクスペクトル割振りはダウンリンク割振りよりも小さくなり得る。たとえば、アップリンクに２０Ｍｈｚが割り当てられる場合、ダウンリンクに１００Ｍｈｚが割り当てられ得る。これらの非対称ＦＤＤ割当ては、スペクトルを節約し、ブロードバンド加入者による一般に非対称な帯域利用によくフィットする。
【００４１】
ＬＴＥアドバンスト要件を満たすために、２０ＭＨｚよりも広い送信帯域幅のサポートが必要とされる。１つの解決策はキャリアアグリゲーションである。キャリアアグリゲーションは、複数のキャリアにわたる無線リソースの同時利用を通して、ＵＥ１２０に与えられる有効帯域幅の拡大を可能にする。より大きい全送信帯域幅を形成するために複数のコンポーネントキャリアがアグリゲートされる。
【００４２】
キャリアアグリゲーションタイプ  
ＬＴＥアドバンストモバイルシステムのために、２つのタイプのキャリアアグリゲーション（ＣＡ：carrier aggregation）方法、すなわち、図４Ａおよび図４Ｂに示す連続ＣＡおよび不連続ＣＡが提案されている。
【００４３】
図４Ａに、本開示の態様による、連続ＣＡ４００Ａの一例を示す。連続ＣＡは、図４Ａに示すように、複数の利用可能なコンポーネントキャリア４０２Ａ、４０４Ａ、および４０６Ａが互いに隣接するときに生じる。
【００４４】
図４Ｂに、本開示の態様による、不連続ＣＡ４００Ｂの一例を示す。不連続ＣＡは、図４Ｂに示すように、複数の利用可能なコンポーネントキャリア４０２Ｂ、４０４Ｂ、および４０６Ｂが周波数帯域に沿って分離されたときに生じる。不連続ＣＡと連続ＣＡの両方は、ＬＴＥアドバンストＵＥの単一ユニットを処理するために複数のＬＴＥ／コンポーネントキャリアをアグリゲートする。
【００４５】
ＬＴＥアドバンストＵＥにおける不連続ＣＡでは、周波数帯域に沿ってキャリアが分離されるので、複数のＲＦ受信ユニットと複数のＦＦＴとが配備され得る。不連続ＣＡは、大きい周波数範囲にわたる複数の分離されたキャリア上でのデータ送信をサポートするので、伝搬パスロス、ドップラーシフトおよび他の無線チャネル特性は、異なる周波数帯域で大いに変わり得る。
【００４６】
したがって、不連続ＣＡアプローチの下でブロードバンドデータ送信をサポートするために、異なるコンポーネントキャリアのためのコーディング、変調、および送信電力を適応的に調整するための方法が使用され得る。たとえば、ｅノードＢが各コンポーネントキャリア上に固定送信電力を有するＬＴＥアドバンストシステムでは、各コンポーネントキャリアの有効カバレージまたはサポート可能な変調およびコーディングは異なり得る。
【００４７】
データアグリゲーションスキーム  
図５に、本開示の態様による、ＩＭＴアドバンスト（IMT-Advanced）システムのために媒体アクセス制御（ＭＡＣ）レイヤにおいて異なるコンポーネントキャリアからの送信ブロック（ＴＢ：transmission block）をアグリゲートすること５００を示す。ＭＡＣレイヤデータアグリゲーションでは、各コンポーネントキャリアは、ＭＡＣレイヤ中にそれ自体の独立したハイブリッド自動再送要求（ＨＡＲＱ）エンティティを有し、物理レイヤ中にそれ自体の送信構成パラメータ（たとえば、送信電力、変調およびコーディングスキーム、ならびに複数のアンテナ構成）を有する。同様に、物理レイヤでは、コンポーネントキャリアごとに１つのＨＡＲＱエンティティが与えられる。
【００４８】
制御シグナリング  
概して、複数のコンポーネントキャリアのための制御チャネルシグナリングを展開するための３つの異なるアプローチがある。
【００４９】
第１は、ＬＴＥシステムにおける制御構造の軽微な変更を伴い、各コンポーネントキャリアは、それ自体のコード化制御チャネルを与えられる。
【００５０】
第２の方法は、異なるコンポーネントキャリアの制御チャネルを一緒にコーディングし、専用のコンポーネントキャリア中に制御チャネルを展開することを伴う。複数のコンポーネントキャリアのための制御情報は、この専用制御チャネルにおいてシグナリングコンテンツとして統合されることになる。その結果、ＬＴＥシステムにおける制御チャネル構造との後方互換性が維持されながら、ＣＡのシグナリングオーバーヘッドが低減する。
【００５１】
第３の方法は、異なるコンポーネントキャリアのための複数の制御チャネルを一緒にコーディングし、次いで、周波数帯域全体にわたって送信することを伴う。このアプローチは、制御チャネルにおいて低いシグナリングオーバーヘッドと高い復号性能とを提供するが、ＵＥ側の電力消費量が高くなる。ただし、この方法は、ＬＴＥシステムと互換性がない。
【００５２】
ハンドオーバ制御  
ハンドオーバは、第１のｅノードＢ１１０によってカバーされた１つのセル１０２から第２のｅノードＢによってカバーされた別のセル１０２にＵＥ１２０が移動するときに生じる。ＩＭＴアドバンストＵＥのためにＣＡが使用されるとき、複数のセルにわたるハンドオーバプロシージャ中に送信連続性をサポートすることが好ましい。しかしながら、特定のＣＡ構成およびサービス品質（ＱｏＳ）要件とともに、入来するＵＥのために十分なシステムリソース（すなわち、良好な送信品質をもつコンポーネントキャリア）を確保することが、次のｅノードＢにとって難しいことがある。この理由は、２つ（またはそれ以上）の隣接するセル（ｅノードＢ）のチャネル状態が、特定のＵＥについて異なり得るからである。１つのアプローチでは、ＵＥは、各隣接セルにおいてただ１つのコンポーネントキャリアのパフォーマンスを測定する。これは、ＬＴＥシステムにおけるのと同様の測定遅延、複雑さ、およびエネルギー消費を与える。対応するセルにおける他のコンポーネントキャリアのパフォーマンスの推定は、この１つのコンポーネントキャリアの測定結果に基づき得る。この推定に基づいて、ハンドオーバ決定および送信構成が判断され得る。
【００５３】
様々な実施形態によれば、（キャリアアグリゲーションとも呼ばれる）マルチキャリアシステムにおいて動作するＵＥは、「プライマリキャリア」と呼ばれることがある同じキャリア上で、制御機能およびフィードバック機能など、複数のキャリアのいくつかの機能をアグリゲートするように構成される。サポートのためにプライマリキャリアに依存する残りのキャリアは、関連するセカンダリキャリアと呼ばれる。たとえば、ＵＥは、オプションの専用チャネル（ＤＣＨ）、スケジュールされない許可、物理アップリンク制御チャネル（ＰＵＣＣＨ）、および／または物理ダウンリンク制御チャネル（ＰＤＣＣＨ）によって提供される制御機能などの制御機能をアグリゲートし得る。シグナリングおよびペイロードは、ダウンリンク上でｅノードＢによってＵＥに、ならびにアップリンク上でＵＥによってｅノードＢに送信され得る。
【００５４】
いくつかの実施形態では、複数のプライマリキャリアが存在し得る。さらに、ＬＴＥ  ＲＲＣプロトコルの３ＧＰＰ技術仕様３６．３３１におけるものなど、レイヤ２プロシージャである物理チャネル確立および無線リンク障害（ＲＬＦ：radio link failure）プロシージャを含む、ＵＥの基本動作に影響を及ぼすことなしに、セカンダリキャリアが追加または削除され得る。
【００５５】
図６に、一例による、物理チャネルをグループ化することによって複数キャリアワイヤレス通信システムにおいて無線リンクを制御するための方法６００を示す。図示のように、本方法は、ブロック６０２において、プライマリキャリアと、１つまたは複数の関連するセカンダリキャリアとを形成するために、少なくとも２つのキャリアからの制御機能を１つのキャリア上にアグリゲートすることを含む。次に、ブロック６０４において、プライマリキャリアと各セカンダリキャリアとのための通信リンクを確立する。次いで、ブロック６０６において、プライマリキャリアに基づいて通信を制御する。
【００５６】
ＬＴＥにおけるｅ−ＰＤＣＣＨの構造  
ＬＴＥにおけるエンハンスド物理ダウンリンク制御チャネル（ｅ−ＰＤＣＣＨ）に対する多くの動機が存在する。たとえば、ｅ−ＰＤＣＣＨは、キャリアアグリゲーション（ＣＡ）強化を改善し、後方互換性がないことがある新しいキャリアをサポートするのを助け、多地点協調（ＣｏＭＰ：coordinated multipoint）送信の制御チャネル容量制限を低減し、ＤＬ  ＭＩＭＯを強化し得る。
【００５７】
本開示の態様によれば、ｅ−ＰＤＣＣＨは、制御チャネル容量の増加と周波数領域セル間干渉協調（ＩＣＩＣ：Inter Cell Interference Coordination）とをサポートし得る。ｅ−ＰＤＣＣＨは、制御チャネルリソースの空間再利用の改善を達成し得る。同様に、ｅ−ＰＤＣＣＨは、ビームフォーミングおよび／またはダイバーシティをサポートし、新しいキャリアタイプで、およびマルチキャストブロードキャスト単一周波数ネットワーク（ＭＢＳＦＮ：Multicast-Broadcast Single Frequency Network）サブフレーム中で動作し、レガシーＵＥと同じキャリア上に共存し得る。ｅ−ＰＤＣＣＨは、周波数選択的な方法でスケジュールされ得、セル間干渉を緩和し得る。
【００５８】
図７に、本開示の態様による、ｅ−ＰＤＣＣＨのための可能な構造７００を示す。以下でより詳細に説明するように、本明細書で提示する態様は、Ｒ−ＰＤＣＣＨと同じ配置と、純粋な周波数分割多重化（ＦＤＭ：frequency division multiplexing）スキームと、時分割多重（ＴＤＭ：time division multiplexing）スキームと、Ｒ−ＰＤＣＣＨと同様の配置（たとえば、第１のスロット中でｅ−ＰＤＣＣＨ  ＤＬを用い、第１のスロットまたは第２のスロットのいずれかの中でｅ−ＰＤＣＣＨ  ＵＬを用いるＲ−ＰＤＣＣＨと同様のスキーム）と、ハイブリッドＴＤＭおよびＦＤＭスキームとを含む、ｅ−ＰＤＣＣＨ配置のための様々なスキームを与える。
【００５９】
第１の代替７０２によれば、ｅ−ＰＤＣＣＨは、ＤＬ許可が第１のスロット中で送信され得、ＵＬ許可が第２のスロット中で送信され得るＲ−ＰＤＣＣＨの送信と同様に送信され得る。態様によれば、第２のスロットがアップリンク許可の送信のために使用されていない場合、第２のスロットはダウンリンクデータ送信のために使用され得る。
【００６０】
第２の代替７０４によれば、ｅ−ＰＤＣＣＨは、ＤＬ許可とＵＬ許可とがリソースブロック（ＲＢ：resource block）に及ぶ純粋なＦＤＭスキームで送信され得る。図示のように、周波数領域中のリソースのセットは、第１のタイムスロットと第２のタイムスロットとを備える時間領域にわたるｅ−ＰＤＣＣＨの送信のために割り振られる。いくつかの態様によれば、周波数領域中でＰＤＳＣＨと多重化されたＲＢのサブセットは、第１のタイムスロットと第２のタイムスロットとにわたるアップリンク許可とダウンリンク許可の両方を含むｅ−ＰＤＣＣＨを送信するために割り振られる。
【００６１】
第３の代替７０６によれば、ｅ−ＰＤＣＣＨは、ＤＬ許可とＵＬ許可とが第１のスロット中で送信されるＴＤＭスキームに従って第１のスロット中で送信され得る。図示のように、残りのＲＢは、ＰＤＳＣＨデータ送信を送信するために利用され得る。
【００６２】
第４の代替７０８によれば、ｅ−ＰＤＣＣＨは、ＤＬ許可とＵＬ許可とが第１のスロット中で送信され得、ＵＬ許可が第２のスロット中で送信され得るＲ−ＰＤＣＣＨと同様の方法で送信され得る。いくつかの態様によれば、ＤＬ許可が所与のＰＲＢペアの第１のＰＲＢ中で送信される場合、ＵＬ許可はＰＲＢペアの第２のＰＲＢ中で送信され得る。そうでない場合、ＵＬ許可は、ＰＲＢペアの第１のＰＲＢまたは第２のＰＲＢのいずれかの中で送信され得る。
【００６３】
第５の代替７１０によれば、ｅ−ＰＤＣＣＨは、第１のスロット中でＤＬ許可のためにＴＤＭを使用し、第１のスロットと第２のスロットとに及ぶＵＬ許可のためにＦＤＭを使用して送信され得る。
【００６４】
７０２に示すように、Ｒ−ＰＤＣＣＨと同様の方法でｅ−ＰＤＣＣＨを送信することは早期の復号を可能にし得る。さらに、そのような配置により、同じＰＲＢ中でＰＤＣＣＨとＰＤＳＣＨとを多重化することが可能になり得、そのような配置は好都合なリソース粒度を与え得る。
【００６５】
７０２に示すようにＲ−ＰＤＣＣＨと同様の方法でｅ−ＰＤＣＣＨを送信することは、ビームフォーミング利得を制限し得、リソース浪費をもたらし得る。たとえば、ＰＲＢペア中にＵＬ許可しか存在しないとき、リソースが浪費され得る。ＵＬ許可がＰＲＢペアの第２のスロット中に存在し、ダウンリンク許可がＰＲＢペアの第１のスロット中に存在しないとき、第１のスロットはＤＬデータ送信のために使用され得ない。態様によれば、第１のスロットはＰＤＳＣＨを搬送し得ない。
【００６６】
Ｒ−ＰＤＣＣＨと同様の方法でｅ−ＰＤＣＣＨを送信することは、ＤＬ許可とＵＬ許可とに非対称的な容量を生じ得る。ｅ−ＰＤＣＣＨのための第１のスロットの開始シンボルは０であり得るので、容量は多少対称的であり得るので、新しいキャリアタイプではこれは問題を提起し得ない。さらに、トラフィックはＵＬ過多であり得るので、低コストのマシンタイプ通信（ＭＴＣ：machine type communication）デバイスでは、これは問題になり得ない。
【００６７】
７０４に示すように、ｅ−ＰＤＣＣＨは純粋なＦＤＭスキームで送信され得る。そのような送信により、ｅ−ＰＤＣＣＨとＰＤＳＣＨとの間の多重化と、ビームフォーミングの改善とが可能になり得る。衝突するアンテナポートの例によれば、ＰＤＣＣＨとＰＤＳＣＨとは、同じＰＲＢペアを共有し得るが、異なるアンテナポートを使用し得る。たとえば、ＰＤＳＣＨは、ＤＬ許可のためにアンテナポート７、８、９、および１０（ランク４送信）を使用し得る。ＰＲＢペアｘでは、たとえば、ｅ−ＰＤＣＣＨはポート７を使用し得、ＰＤＳＣＨはポート８、９、および１０を使用し得る。
【００６８】
衝突しないアンテナポート例によれば、ＰＤＳＣＨは、たとえば、ＤＬ許可とＵＬ許可の両方のためにポート８を使用し得る。ＰＲＢペアｘでは、ｅ−ＰＤＣＣＨはポート７を使用し得、一方、ＰＤＳＣＨはポート８を使用し得る。他のＰＲＢペアでは、ＰＤＳＣＨはポート８を使用し得る。
【００６９】
ただし、ＰＤＣＣＨは、一般に、最初のいくつかの制御シンボル中で送信されるので、ｅ−ＰＤＣＣＨを純粋なＦＭＤスキームで送信することによって処理遅延が生じ得る。ＵＥは、ＰＤＣＣＨを復号すると、直ちにＰＤＳＣＨを復号し始め得る。７０４に示すように、ＵＥは、ｅ−ＰＤＣＣＨを復号するのをサブフレームの端部まで待たなければならないことがある。ＵＥがｅ−ＰＤＣＣＨを復号するには、ある程度の時間がかかり得るので、データチャネルの復号は、サブフレームの終了後しばらくしてから開始し得る。したがって、早期の復号が可能である限り、この送信スキームはより好都合になり得る。
【００７０】
態様によれば、早期の復号問題は、トランスポートブロックサイズ（ＴＢＳ：transport block size）および／またはブラインド復号の数を制限することによって緩和され得る。以下でより詳細に説明するように、ｅ−ＰＤＣＣＨのためにマルチユーザ（ＭＵ：multi-user）−ＭＩＭＯがサポートされるとき、粗いリソース粒度（１つのＲＢが約１００個のＲＥであり得る）が存在し得、大きいダウンリンク制御情報（ＤＣＩ：downlink control information）サイズのみがサポートされる。
【００７１】
７０６に示すように、ｅ−ＰＤＣＣＨはＴＤＭスキームに従って送信され得る。ＤＬ許可とＵＬ許可とが第１のスロット中で送信され得るので、そのような送信は、早期の復号の利益を可能にし得る。さらに、ＴＤＭスキームによる送信は、より良いリソース粒度（１つのＲＢがほぼ３０〜６０個のＲＥであり得る）を可能にし得る。
【００７２】
態様によれば、ｅ−ＰＤＣＣＨを送信するためのＴＤＭベースのアプローチでは、分割ポイントが必ずしもスロット境界であるとは限らないことがある。これは、ＤＬ許可とＵＬ許可との容量を分散させることを改善し得る。
【００７３】
ただし、ＴＤＭスキームによるｅ−ＰＤＣＣＨ送信はビームフォーミング利得を制限し得る。同様に、特に、第１のスロットがＵＬ許可のために使用されるとき、可能なリソース浪費またはＴＤＭベースのＰＤＣＣＨ／ＰＤＳＣＨ多重化があり得る。
【００７４】
７０８に示すように、ｅ−ＰＤＣＣＨはＲ−ＰＤＣＣＨと同様の方法で送信され得る。そのような送信は早期の復号を可能にし得る。さらに、Ｒ−ＰＤＣＣＨと同様の方法でｅ−ＰＤＣＣＨを送信することは、同じＰＲＢペア中でのＰＤＣＣＨおよびＰＤＳＣＨ多重化、好都合なリソース粒度、およびリソース使用量の改善を可能にし得る。態様によれば、ＰＤＣＣＨプルーニング（フォールスアラーム処理）は、場合によってはＤＬ許可と組み合わせて、ＵＬ許可のためにスロットの両方を使用することによって実行され得る。
【００７５】
ｅ−ＰＤＣＣＨのためにＲ−ＰＤＣＣＨの送信と同様のフォーマットを使用することにより、制限されたビームフォーミング利得、およびＤＬ許可とＵＬ許可との非対称な容量（ＵＬ過多の容量）が可能になり得、スタンドアロンＵＬ許可の数が偶数でないときにリソースが浪費され得る。
【００７６】
７１０に示すように、ｅ−ＰＤＣＣＨを送信するためにハイブリッドＴＤＭ  ＤＬ許可およびＦＤＭ  ＵＬ許可を使用することにより、早期の復号が可能になるとともに、リソース使用状況が改善され得る。同様に、そのような方法でｅ−ＰＤＣＣＨを送信することは、ＤＬ許可に好都合なリソース粒度を与え得る。態様によれば、ＤＬ許可とＵＬ許可とが別個であるので、ハイブリッドアプローチは、他のオプションと比較して、より少ない数のブラインド復号を伴い得る。したがって、ＤＬ許可およびＵＬ許可のための割り当てられたリソースが重複するとき、ＰＤＣＣＨプルーニングは、ＤＬ許可とＵＬ許可の両方を考慮する必要があり得る。態様によれば、ＤＣＩフォーマット０は共通探索空間においてサポートされ得ない。したがって、第１のスロットに位置する共通探索空間はＤＬ許可のみを搬送し得る。
【００７７】
ただし、ｅ−ＰＤＣＣＨ送信のためのそのようなハイブリッド手法は、ＤＬ許可のビームフォーミング利得を制限し得る。ｅ−ＰＤＣＣＨのためのハイブリッドアプローチは、同じＰＲＢペア中でのＤＬ許可のためのＰＤＣＣＨとＰＤＳＣＨとの多重化を処理し得、ＵＬ許可に粗いリソース粒度を与え得る。態様によれば、粗いリソース粒度は、ＭＵ−ＭＩＭＯ、電力制御などによって緩和され得る。
【００７８】
態様によれば、微細なリソース粒度を用いるＦＤＭベース送信は、ｅ−ＰＤＣＣＨを送信するのに望ましい構造であり得る。これは、（典型的なサブフレーム中に約１００個のＲＥを備える）１つのＲＢをｅ−ＰＤＣＣＨ構成のための最小リソースユニットとして使用することが過剰であり得るからである。たとえば、制御チャネル要素（ＣＣＥ：control channel element）、レガシーＰＤＣＣＨのための最小リソースユニットは３６個のＲＥである。したがって、図８〜図１０に、本開示の態様による、より微細な粒度を用いるｅ−ＰＤＣＣＨの送信のための３つの設計代替を示す。図８〜図１０では、ｅ−ＰＤＣＣＨのための同じＣＣＥのＲＥ８０２、８０４、および８０６が示されている。ＲＥ８０８は、ｅ−ＰＤＣＣＨ送信のために利用可能でない。
【００７９】
図８に、本開示の態様による、例示的なＭＵ−ＭＩＭＯ代替８００を示す。図示のように、１つのリソースブロックは、数人のユーザのためのｅ−ＰＤＣＣＨを多重化し得る。ｅ−ＰＤＣＣＨのための同じＣＣＥの３つのＲＥ８０２、８０４、および８０６が示されているが、２人、４人以上を含む任意の数のユーザおよびｅ−ＰＤＣＣＨが可能であり得る。図８では、ユーザごとにｅ−ＰＤＣＣＨ送信を分離するために異なるビームまたはレイヤが使用され得る。
【００８０】
図９に、最小ユニットとしてＰＲＢペア中の連続トーンのサブセットを使用するより微細な粒度の一例９００を示す。図示のように、ＰＲＢペア中の４つの連続トーンが最小ユニットとして使用され得る。したがって、ＲＢは３つのｅ−ＰＤＣＣＨを多重化し得る。４つのトーンは現在の復調基準信号（ＤＭ−ＲＳ：demodulation reference signal）パターンと自然に動作し得、各ＲＢ内で、１２個のトーンを用いて、周波数領域中でＤＭ−ＲＳ  ＲＥの３つの外観がある。４つのトーンにより、レガシーＰＤＣＣＨのための最小リソースユニット（ＣＣＥ、３６個のＲＥ）をｅ−ＰＤＣＣＨのための最小リソースユニットとより良くアラインさせることも可能になり得る。ＰＲＢペア中の４つのトーンのためのＲＥの数はほぼ３０〜４０個程度のＲＥである。ｅ−ＰＤＣＣＨ復号候補当たりのＲＥの数は、依然として、たとえば、ＣＲＳ、またはチャネル状態情報−基準信号（ＣＳＩ−ＲＳ：channel state information-reference signal）構成、ｅ−ＰＤＣＣＨ（たとえば、ＴＤＤにおけるＤｗＰＴＳ）に利用可能なシンボルの数、およびＣＰタイプ（ノーマルＣＰ対拡張ＣＰ）に応じて異なり得る。代替または追加として、いくつかの特殊なサブフレーム、たとえば、（たとえば、ＣＳＩ−ＲＳ  ＲＥの数があるしきい値を超えるとき）すべてのまたはいくつかの構成をもつ、ＣＳＩ−ＲＳを含んでいるサブフレーム、またはＴＤＤシステムにおけるすべてのまたはいくつかの構成をもつダウンリンクパイロットタイムスロット（ＤｗＰＴＳ：Downlink pilot time slot）中で、４トーン分割ではなく、これらの特殊なサブフレーム中の最小リソースユニット中のＲＥの数が他のサブフレーム中の最小リソースユニットのＲＥの数に匹敵するような異なる数の連続トーンが考えられ得る。ＵＥは、シグナリングを介してそのような差異を通知され得る。
【００８１】
図１０に、最小リソースユニットとしてＰＲＢペア中のインターリーブされたトーンのサブセットを使用するより微細な粒度の一例１０００を示す。ＤＭ−ＲＳパターンは、ランク４パターン、たとえば、４つのＵＥの多重化能力であると仮定され得る。態様によれば、実際の多重化能力はさらに、たとえば、３に制限され得る。したがって、ＵＥは、ＵＥによって検出されたランクとは無関係のパターンに従ってｅＮＢに復調基準信号を送信し得る。態様によれば、ＵＥは、ｅＮＢによって送信されるｅ−ＰＤＣＣＨの数にかかわらず、最大可能ランクに対応するパターンをもつ復調基準信号を送信し得る。
【００８２】
代替的に、少なくとも、特殊なサブフレーム、たとえば、ＣＳＩ−ＲＳを含んでいるサブフレーム中で、ＤＭ−ＲＳパターンは、ランク２パターンまたはランク４パターンのいずれかであるように構成可能であり得る。各ＤＭ−ＲＳポートおよび関連するＲＥは、１つのｅ−ＰＤＣＣＨ復号候補からなり得る。代替または追加として、いくつかの特殊なサブフレーム、たとえば、（たとえば、ＣＳＩ−ＲＳ  ＲＥの数があるしきい値を超えるとき）すべてのまたはいくつかの構成をもつ、ＣＳＩ−ＲＳを含んでいるサブフレーム、またはＴＤＤシステムにおけるすべてのまたはいくつかの構成をもつＤｗＰＴＳ中で、４つのＵＥの最大多重化能力ではなく、これらの特殊なサブフレーム中の最小リソースユニット中のリソース要素の数が他のサブフレーム中の最小リソースユニットのリソース要素の数に匹敵するような異なる多重化能力（たとえば、２つのＵＥ）が考えられ得る。ＵＥは、シグナリングを介してそのような差異を通知され得る。
【００８３】
態様によれば、利用可能なＲＥの循環は、時間第１周波数第２方法に従い得る（たとえば、ｅ−ＰＤＣＣＨのマッピングは最初に時間により、次いで、周波数により得る）。代替的に、利用可能なＲＥの循環は、第１に周波数、第２に時間の方法に従う（たとえば、ｅ−ＰＤＣＣＨのマッピングは最初に周波数により、次いで、時間により得る）。循環は、ＲＢごとにまたはＰＲＢペアごとに行われ得る。ｅ−ＰＤＣＣＨについてのＲＥの利用可能性は同じＰＲＢペアの２つのＲＢで異なり得る（たとえば、ＣＳＩ−ＲＳは第１のスロットではなく、第２のスロットに位置し得る）ので、後者が好ましいことがある。
【００８４】
態様によれば、分割がすべてのサブフレームにわたって固定され得る。たとえば、サブフレームがＣＳＩ−ＲＳを含んでいる場合、いくつかのＲＥがＣＳＩ−ＲＳのために予約され、それによって、ｅ−ＰＤＣＣＨの送信についてのリソースの利用可能性を制限し得る。一例として、ＴＤＤにおける特殊なサブフレーム中で、ＤｗＰＴＳは、一定数のシンボル（たとえば、９つ、１０個、１１個、１２個）を有するように構成され得、ｅ−ＰＤＣＣＨのために利用可能なＲＥの数は通常のダウンリンクサブフレームよりも少なくなり得る。したがって、これらのサブフレームは、異なる多重化スキーム、または異なる多重化能力を使用し得る。
【００８５】
いくつかの態様によれば、分割は、ノーマルサイクリックプレフィックス（ＣＰ）を用いるサブフレームと比較して、拡張ＣＰを用いるサブフレームに対して別様に行われ得る。これは、ｅ−ＰＤＣＣＨについてのＲＥの利用可能性がこれらの２つの場合で異なるからである。
【００８６】
最小構成単位を確立した後に、アグリゲーションレベルがＣＣＥユニットにマッピングされる必要があり得る。レガシーＰＤＣＣＨの場合のように、ＵＥは、１つのＣＣＥ、２つのＣＣＥ、４つのＣＣＥ、および８つのＣＣＥの４つの可能なレベルをモニタするように構成され得る。態様によれば、ＣＣＥは、同じＰＲＢにマッピングされ、可能な範囲内で同じＰＲＧにマッピングされ得る。特に、ＦＤＭと同様のｅ−ＰＤＣＣＨ送信について、各ＰＲＢペアが２つ以上のｅ−ＰＤＣＣＨ  ＣＣＥを多重化することができるようにより微細な粒度が採用されるとき、１よりも大きいｅ−ＰＤＣＣＨアグリゲーションレベルでは、１つのｅ−ＰＤＣＣＨが可能な範囲内で１つのＲＢにマッピングされ得る。
【００８７】
２つ以上のＲＢが、プリコーディングＲＢグループ（ＰＲＧ：precoding RB group）と呼ばれる同じプリコーディングを有し得る。態様によれば、１つのｅ−ＰＤＣＣＨが、できる限り同じＰＲＧ（たとえば、ＰＲＢバンドリング）にマッピングされ得る。
【００８８】
図１１に、本開示の態様による、ＣＣＥマッピングへの例示的なアグリゲーションレベルマッピング１１００を示す。図示のように、ｅ−ＰＤＣＣＨは、レベル４送信に従って送信され得る。ＣＣＥ１１０２、１１０４、および１１０６は、同じＲＢ１１１０にマッピングされ得、ＣＣＥ１１０８は、可能な場合、第１のＲＢ１１１０の同じＰＲＧの別のＲＢ１１２０にマッピングされ得る。
【００８９】
図１２に、本開示の態様による、ｅ−ＰＤＣＣＨとＰＤＳＣＨとの間の例示的な相互作用１２００を示す。ＵＥは、ｅ−ＰＤＣＣＨおよびＰＤＳＣＨ送信の重複する領域中でスケジュールされたＰＤＳＣＨのためのポートを判断することが可能であるべきである。たとえば、ＵＥは、ｅ−ＰＤＣＣＨがＦＤＭまたはＴＤＭアプローチに従って送信されるかどうかにかかわらず、スケジュールされたＰＤＳＣＨのためのポートを判断することが可能であるべきである。リソースが（ＰＲＢペアに関して）ｅ−ＰＤＣＣＨと少なくとも部分的に重複した状態でアンテナポートセットＳを用いるＰＤＳＣＨをスケジュールするＵＥが、アンテナポートｘを用いるｅ−ＰＤＣＣＨを検出するとき、ＵＥは、スケジュールされたＰＤＳＣＨのためのポートを判断することが可能であるべきである。態様によれば、ポートセットＳからのポートｘの純粋な割引がすべての態様において機能し得ない。
【００９０】
図１２に示すように、ケース１に、アンテナポート、たとえば、ポート７がｅ−ＰＤＣＣＨに専用であり得、ポート８がＰＤＳＣＨのために使用され得ることを示す。したがって、ｅ−ＰＤＣＣＨとＰＤＳＣＨとは、同じＰＲＢペアを使用し、異なるアンテナポートを使用し得る。図示のように、１人のユーザは、ｅ−ＰＤＣＣＨのために第１のスロット１２０２を使用し得、ユーザのためのスケジュールされたＰＤＳＣＨは、第２のスロット１２０４を使用して送信され得る。ユーザは、異なるアンテナポートを使用して、ＰＤＳＣＨのために第１のスロット、たとえば、１２０６を使用し得る。図１２のケース２に、第１のスロット１２０８、１２１０中でｅ−ＰＤＣＣＨを受信する２つのＵＥを示し、一方、ＵＥ１のためのＰＤＳＣＨは、第２のスロット１２１２、１２１４中でスケジュールされ、別のポートを使用して第１のスロット１２１６を占有し得る。
【００９１】
態様によれば、ＤｗＰＴＳ中のｅ−ＰＤＣＣＨのための空間処理が存在し得る。ＴＤＭベースのｅ−ＰＤＣＣＨ送信について、いくつかの特殊なサブフレーム構成では、非常に少数のシンボルが第２のスロット中にＰＤＳＣＨのために残され得る。たとえば、ＰＤＳＣＨは、ノーマルＣＰのための９つ、１０個、１１個、または１２個のＯＦＤＭシンボルを用いて、構成１／２／３／４／６／７／８をもつ特殊なサブフレーム中で送信され得る。これは、第２のスロット中に２つ、３つ、４つ、および５つのＯＦＤＭシンボルがあり得ることを暗示する。制限されたリソースは、同様に、拡張ＣＰを用いるサブフレーム中で利用可能であり得る。Ｒ−ＰＤＣＣＨ設計では、特殊なサブフレームはバックホール送信の一部でなかったので、これは問題ではなかった。
【００９２】
しかしながら、ｅ−ＰＤＣＣＨについて、いくつかのサブフレーム構成では、同じＰＲＢペア中でｅ−ＰＤＣＣＨとＰＤＳＣＨとを多重化することに対して特殊なルールが適用され得る。たとえば、第２のスロット中のシンボルの数が非常に少ない、たとえば３つ以下である場合、ＰＤＳＣＨは使用可能にされ得ない。場合によっては、ＴＤＤスキームに従って送信されるｅ−ＰＤＣＣＨは、制御送信のためにＤｗＰＴＳ部分全体を利用するように拡張され得る。ｅ−ＰＤＣＣＨがＦＤＭアプローチを使用して送信される場合、特殊なサブフレームは、ｅ−ＰＤＣＣＨ動作を改善しようとして、前に説明したように異なる多重化スキームを使用し得る。
【００９３】
図１３に、本開示の態様による、たとえば、ユーザ機器によって実行され得る例示的な動作１３００を示す。１３０２において、ＵＥは、基地局がエンハンスド物理ダウンリンク制御チャネル（ｅ−ＰＤＣＣＨ）を送信し得る探索空間を判断し、探索空間は、物理リソースブロック（ＰＲＢ）ペアの周波数−時間リソースの１つまたは複数のフラクショナル部分を備える。１３０４において、ＵＥは、判断された探索空間に基づいてｅ−ＰＤＣＣＨを復号しようと試みる。
【００９４】
前に説明したように、態様によれば、リソースのフラクショナル部分は周波数分割多重リソースを備え得る。リソースのフラクショナル部分はインターリーブされたトーンを備え得る。ソースの各フラクショナル部分は復調のためのアンテナポートに関連付けられ得る。
【００９５】
ＰＲＢペア中のｅ−ＰＤＣＣＨのための多重化能力はサブフレームタイプに依存し得る。たとえば、チャネル状態情報−基準信号（ＣＳＩ−ＲＳ）またはダウンリンクパイロットタイムスロット（ＤｗＰＴＳ）を含んでいるサブフレームについて、多重化能力は通常のダウンリンクサブフレームの多重化能力よりも小さいことがある。ＰＲＢペア中のｅ−ＰＤＣＣＨのための多重化能力は、ｅ−ＰＤＣＣＨのために使用されるリソース要素（ＲＥ）の数がしきい値を下回るときにより小さいことがある。拡張サイクリックプレフィックスを用いるＰＲＢペア中のｅ−ＰＤＣＣＨの多重化は、ノーマルサイクリックプレフィックスを用いるＰＲＢペアの多重化よりも小さいことがある。
【００９６】
図１４に、本開示の態様による、たとえば、基地局によって実行され得る例示的な動作１４００を示す。１４０２において、基地局は、エンハンスド物理ダウンリンク制御チャネル（ｅ−ＰＤＣＣＨ）を送信するために利用可能なリソースの探索空間を判断し、探索空間は、物理リソースブロック（ＰＲＢ）ペアの周波数−時間リソースの１つまたは複数のフラクショナル部分を備える。１４０４において、基地局は、判断された探索空間のリソースを利用してｅ−ＰＤＣＣＨを送信する。
【００９７】
態様によれば、フラクショナル部分は周波数分割多重リソースを備える。別の代替では、リソースのフラクショナル部分はインターリーブされたトーンを備える。本明細書で説明するように、基地局は、物理リソースブロックペア中で送信されるｅ−ＰＤＣＣＨの数にかかわらず、最大可能ランクに対応するパターンをもつ復調基準信号を受信し得る。
【００９８】
ＰＲＢペア中のｅ−ＰＤＣＣＨのための多重化能力はサブフレームタイプに依存し得る。たとえば、チャネル状態情報−基準信号（ＣＳＩ−ＲＳ）またはダウンリンクパイロットタイムスロット（ＤｗＰＴＳ）を含んでいるサブフレームについて、多重化能力は通常のダウンリンクサブフレームの多重化能力よりも小さいことがある。ＰＲＢペア中のｅ−ＰＤＣＣＨのための多重化能力は、ｅ−ＰＤＣＣＨのために使用されるリソース要素（ＲＥ）の数がしきい値を下回るときにより小さいことがある。拡張サイクリックプレフィックスを用いるＰＲＢペア中のｅ−ＰＤＣＣＨの多重化は、ノーマルサイクリックプレフィックスを用いるＰＲＢペアの多重化よりも小さいことがある。
【００９９】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１００】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【０１０１】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１０２】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１０３】
１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【０１０４】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
基地局がエンハンスド物理ダウンリンク制御チャネル（ｅ−ＰＤＣＣＨ）を送信し得る探索空間を判断することと、ここで、前記探索空間は、物理リソースブロック（ＰＲＢ）ペアの周波数−時間リソースの１つまたは複数のフラクショナル部分を備える、
前記判断された探索空間に基づいて前記ｅ−ＰＤＣＣＨを復号しようと試みることと
を備える、ワイヤレス通信のための方法。
［Ｃ２］
前記リソースのフラクショナル部分は、周波数分割多重リソースを備える、
［Ｃ１］に記載の方法。
［Ｃ３］
前記リソースのフラクショナル部分は、インターリーブされたトーンを備える、
［Ｃ１］に記載の方法。
［Ｃ４］
前記ＰＲＢペア中で送信されるｅ−ＰＤＣＣＨの数にかかわらず、最大可能ランクに対応するパターンをもつ復調基準信号（ＤＭ−ＲＳ）を送信することをさらに備える、
［Ｃ１］に記載の方法。
［Ｃ５］
周波数−時間リソースの各フラクショナル部分が復調のためのアンテナポートに関連付けられる、
［Ｃ１］に記載の方法。
［Ｃ６］
周波数−時間リソースの前記１つまたは複数のフラクショナル部分へのｅ−ＰＤＣＣＨのマッピングは、第１に周波数、第２に時間の方法に従う、
［Ｃ１］に記載の方法。
［Ｃ７］
ＰＲＢペア中のｅ−ＰＤＣＣＨのための多重化能力は、サブフレームタイプに依存する、
［Ｃ１］に記載の方法。
［Ｃ８］
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
［Ｃ７］に記載の方法。
［Ｃ９］
前記多重化能力は、ｅ−ＰＤＣＣＨのためのリソース要素（ＲＥ）の数がしきい値を下回るときにより小さい、
［Ｃ８］に記載の方法。
［Ｃ１０］
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
［Ｃ１］に記載の方法。
［Ｃ１１］
基地局がエンハンスド物理ダウンリンク制御チャネル（ｅ−ＰＤＣＣＨ）を送信し得る探索空間を判断するための手段と、ここで、前記探索空間は、物理リソースブロック（ＰＲＢ）ペアの周波数−時間リソースの１つまたは複数のフラクショナル部分を備える、
前記判断された探索空間に基づいて前記ｅ−ＰＤＣＣＨを復号しようと試みるための手段と
を備える、ワイヤレス通信のための装置。
［Ｃ１２］
前記リソースのフラクショナル部分は、周波数分割多重リソースを備える、
［Ｃ１１］に記載の装置。
［Ｃ１３］
前記リソースのフラクショナル部分がインターリーブされたトーンを備える、
［Ｃ１１］に記載の装置。
［Ｃ１４］
前記ＰＲＢペア中で送信されるｅ−ＰＤＣＣＨの数にかかわらず、最大可能ランクに対応するパターンをもつ復調基準信号（ＤＭ−ＲＳ）を送信するための手段をさらに備える、
［Ｃ１１］に記載の装置。
［Ｃ１５］
周波数−時間リソースの各フラクショナル部分は、復調のためのアンテナポートに関連付けられる、
［Ｃ１１］に記載の装置。
［Ｃ１６］
周波数−時間リソースの前記１つまたは複数のフラクショナル部分へのｅ−ＰＤＣＣＨのマッピングは、第１に周波数、第２に時間の方法に従う、
［Ｃ１１］に記載の装置。
［Ｃ１７］
ＰＲＢペア中のｅ−ＰＤＣＣＨのための多重化能力は、サブフレームタイプに依存する、
［Ｃ１１］に記載の装置。
［Ｃ１８］
チャネル状態情報−基準信号（ＣＳＩ−ＲＳ）またはダウンリンクパイロットタイムスロット（ＤｗＰＴＳ）を含んでいるサブフレームについて、前記多重化能力が通常のダウンリンクサブフレームの多重化能力よりも小さい、
［Ｃ１７］に記載の装置。
［Ｃ１９］
前記多重化能力は、ｅ−ＰＤＣＣＨのためのリソース要素（ＲＥ）の数がしきい値を下回るときにより小さい、
［Ｃ１８］に記載の装置。
［Ｃ２０］
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
［Ｃ１１］に記載の装置。
［Ｃ２１］
基地局がエンハンスド物理ダウンリンク制御チャネル（ｅ−ＰＤＣＣＨ）を送信し得る探索空間を判断することと、ここで、前記探索空間は、物理リソースブロック（ＰＲＢ）ペアの周波数−時間リソースの１つまたは複数のフラクショナル部分を備える、
前記判断された探索空間に基づいて前記ｅ−ＰＤＣＣＨを復号しようと試みることと
を行うように構成される少なくとも１つのプロセッサと、
前記少なくとも１つのプロセッサに結合されたメモリと
を備える、ワイヤレス通信のための装置。
［Ｃ２２］
前記リソースのフラクショナル部分は、周波数分割多重リソースを備える、
［Ｃ２１］に記載の装置。
［Ｃ２３］
前記リソースのフラクショナル部分は、インターリーブされたトーンを備える、
［Ｃ２１］に記載の装置。
［Ｃ２４］
前記少なくとも１つのプロセッサは、
前記ＰＲＢペア中で送信されるｅ−ＰＤＣＣＨの数にかかわらず、最大可能ランクに対応するパターンをもつ復調基準信号（ＤＭ−ＲＳ）を送信することを行うようにさらに構成される、
［Ｃ２１］に記載の装置。
［Ｃ２５］
周波数−時間リソースの各フラクショナル部分は、復調のためのアンテナポートに関連付けられる、
［Ｃ２１］に記載の装置。
［Ｃ２６］
周波数−時間リソースの前記１つまたは複数のフラクショナル部分へのｅ−ＰＤＣＣＨのマッピングが第１に周波数、第２に時間の方法に従う、
［Ｃ２１］に記載の装置。
［Ｃ２７］
ＰＲＢペア中のｅ−ＰＤＣＣＨのための多重化能力は、サブフレームタイプに依存する、
［Ｃ２１］に記載の装置。
［Ｃ２８］
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
［Ｃ２７］に記載の装置。
［Ｃ２９］
前記多重化能力は、ｅ−ＰＤＣＣＨのためのリソース要素（ＲＥ）の数がしきい値を下回るときにより小さい、
［Ｃ２８］に記載の装置。
［Ｃ３０］
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
［Ｃ２１］に記載の装置。
［Ｃ３１］
ワイヤレス通信のためのコンピュータプログラム製品であって、前記コンピュータプログラム製品は、コードを記憶した非一時的コンピュータ可読媒体を備え、前記コードは、
基地局がエンハンスド物理ダウンリンク制御チャネル（ｅ−ＰＤＣＣＨ）を送信し得る探索空間を判断することと、ここで、前記探索空間は、物理リソースブロック（ＰＲＢ）ペアの周波数−時間リソースの１つまたは複数のフラクショナル部分を備える、
前記判断された探索空間に基づいて前記ｅ−ＰＤＣＣＨを復号しようと試みることと
を行うために、１つまたは複数のプロセッサによって実行可能である、コンピュータプログラム製品。
［Ｃ３２］
前記リソースのフラクショナル部分は、周波数分割多重リソースを備える、
［Ｃ３１］に記載のコンピュータプログラム製品。
［Ｃ３３］
前記リソースのフラクショナル部分は、インターリーブされたトーンを備える、
［Ｃ３１］に記載のコンピュータプログラム製品。
［Ｃ３４］
前記ＰＲＢペア中で送信されるｅ−ＰＤＣＣＨの数にかかわらず、最大可能ランクに対応するパターンをもつ復調基準信号（ＤＭ−ＲＳ）を送信することを行うためのコードをさらに備える、
［Ｃ３１］に記載のコンピュータプログラム製品。
［Ｃ３５］
周波数−時間リソースの各フラクショナル部分が復調のためのアンテナポートに関連付けられる、
［Ｃ３１］に記載のコンピュータプログラム製品。
［Ｃ３６］
周波数−時間リソースの前記１つまたは複数のフラクショナル部分へのｅ−ＰＤＣＣＨのマッピングは、第１に周波数、第２に時間の方法に従う、
［Ｃ３１］に記載のコンピュータプログラム製品。
［Ｃ３７］
ＰＲＢペア中のｅ−ＰＤＣＣＨのための多重化能力は、サブフレームタイプに依存する、
［Ｃ３１］に記載のコンピュータプログラム製品。
［Ｃ３８］
チャネル状態情報−基準信号（ＣＳＩ−ＲＳ）またはダウンリンクパイロットタイムスロット（ＤｗＰＴＳ）を含んでいるサブフレームについて、前記多重化能力が通常のダウンリンクサブフレームの多重化能力よりも小さい、
［Ｃ３７］に記載のコンピュータプログラム製品。
［Ｃ３９］
前記多重化能力は、ｅ−ＰＤＣＣＨのためのリソース要素（ＲＥ）の数がしきい値を下回るときにより小さい、
［Ｃ３８］に記載のコンピュータプログラム製品。
［Ｃ４０］
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
［Ｃ３１］に記載のコンピュータプログラム製品。
［Ｃ４１］
エンハンスド物理ダウンリンク制御チャネル（ｅ−ＰＤＣＣＨ）を送信するために利用可能なリソースの探索空間を判断することと、ここで、前記探索空間は、物理リソースブロック（ＰＲＢ）ペアの周波数−時間リソースの１つまたは複数のフラクショナル部分を備える、
前記判断された探索空間のリソースを利用して前記ｅ−ＰＤＣＣＨを送信することと
を備える、ワイヤレス通信のための方法。
［Ｃ４２］
前記リソースのフラクショナル部分は、周波数分割多重リソースを備える、
［Ｃ４１］に記載の方法。
［Ｃ４３］
前記リソースのフラクショナル部分は、インターリーブされたトーンを備える、
［Ｃ４１］に記載の方法。
［Ｃ４４］
前記ＰＲＢペア中で送信されるｅ−ＰＤＣＣＨの数にかかわらず、最大可能ランクに対応するパターンをもつ復調基準信号（ＤＭ−ＲＳ）を受信することをさらに備える、
［Ｃ４１］に記載の方法。
［Ｃ４５］
周波数−時間リソースの各フラクショナル部分は、復調のためのアンテナポートに関連付けられる、
［Ｃ４１］に記載の方法。
［Ｃ４６］
周波数−時間リソースの前記１つまたは複数のフラクショナル部分へのｅ−ＰＤＣＣＨのマッピングは、第１に周波数、第２に時間の方法に従う、
［Ｃ４１］に記載の方法。
［Ｃ４７］
ＰＲＢペア中のｅ−ＰＤＣＣＨのための多重化能力は、サブフレームタイプに依存する、
［Ｃ４１］に記載の方法。
［Ｃ４８］
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
［Ｃ４７］に記載の方法。
［Ｃ４９］
前記多重化能力は、ｅ−ＰＤＣＣＨのためのリソース要素（ＲＥ）の数がしきい値を下回るときにより小さい、
［Ｃ４８］に記載の方法。
［Ｃ５０］
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
［Ｃ４１］に記載の方法。
［Ｃ５１］
エンハンスド物理ダウンリンク制御チャネル（ｅ−ＰＤＣＣＨ）を送信するために利用可能なリソースの探索空間を判断するための手段と、ここで、前記探索空間は、物理リソースブロック（ＰＲＢ）ペアの周波数−時間リソースの１つまたは複数のフラクショナル部分を備える、
前記判断された探索空間のリソースを利用して前記ｅ−ＰＤＣＣＨを送信するための手段と
を備える、ワイヤレス通信のための装置。
［Ｃ５２］
前記リソースのフラクショナル部分は、周波数分割多重リソースを備える、
［Ｃ５１］に記載の装置。
［Ｃ５３］
前記リソースのフラクショナル部分は、インターリーブされたトーンを備える、
［Ｃ５１］に記載の装置。
［Ｃ５４］
前記ＰＲＢペア中で送信されるｅ−ＰＤＣＣＨの数にかかわらず、最大可能ランクに対応するパターンをもつ復調基準信号（ＤＭ−ＲＳ）を受信するための手段をさらに備える、
［Ｃ５１］に記載の装置。
［Ｃ５５］
周波数−時間リソースの各フラクショナル部分は、復調のためのアンテナポートに関連付けられる、
［Ｃ５１］に記載の装置。
［Ｃ５６］
周波数−時間リソースの前記１つまたは複数のフラクショナル部分へのｅ−ＰＤＣＣＨのマッピングは、第１に周波数、第２に時間の方法に従う、
［Ｃ５１］に記載の装置。
［Ｃ５７］
ＰＲＢペア中のｅ−ＰＤＣＣＨのための多重化能力は、サブフレームタイプに依存する、
［Ｃ５１］に記載の装置。
［Ｃ５８］
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
［Ｃ５７］に記載の装置。
［Ｃ５９］
前記多重化能力は、ｅ−ＰＤＣＣＨのためのリソース要素（ＲＥ）の数がしきい値を下回るときにより小さい、
［Ｃ５８］に記載の装置。
［Ｃ６０］
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
［Ｃ５１］に記載の装置。
［Ｃ６１］
エンハンスド物理ダウンリンク制御チャネル（ｅ−ＰＤＣＣＨ）を送信するために利用可能なリソースの探索空間を判断することと、ここで、前記探索空間が物理リソースブロック（ＰＲＢ）ペアの周波数−時間リソースの１つまたは複数のフラクショナル部分を備える、
前記判断された探索空間のリソースを利用して前記ｅ−ＰＤＣＣＨを送信することと
を行うように構成される少なくとも１つのプロセッサと、
前記少なくとも１つのプロセッサに結合されたメモリと
を備える、ワイヤレス通信のための装置。
［Ｃ６２］
前記リソースのフラクショナル部分は、周波数分割多重リソースを備える、
［Ｃ６１］に記載の装置。
［Ｃ６３］
前記リソースのフラクショナル部分は、インターリーブされたトーンを備える、
［Ｃ６１］に記載の装置。
［Ｃ６４］
前記少なくとも１つのプロセッサは、
前記ＰＲＢペア中で送信されるｅ−ＰＤＣＣＨの数にかかわらず、最大可能ランクに対応するパターンをもつ復調基準信号（ＤＭ−ＲＳ）を受信することを行うようにさらに構成される、
［Ｃ６１］に記載の装置。
［Ｃ６５］
周波数−時間リソースの各フラクショナル部分は、復調のためのアンテナポートに関連付けられる、
［Ｃ６１］に記載の装置。
［Ｃ６６］
周波数−時間リソースの前記１つまたは複数のフラクショナル部分へのｅ−ＰＤＣＣＨのマッピングは、第１に周波数、第２に時間の方法に従う、
［Ｃ６１］に記載の装置。
［Ｃ６７］
ＰＲＢペア中のｅ−ＰＤＣＣＨのための多重化能力は、サブフレームタイプに依存する、
［Ｃ６１］に記載の装置。
［Ｃ６８］
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
［Ｃ６７］に記載の装置。
［Ｃ６９］
前記多重化能力は、ｅ−ＰＤＣＣＨのためのリソース要素（ＲＥ）の数がしきい値を下回るときにより小さい、
［Ｃ６８］に記載の装置。
［Ｃ７０］
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
［Ｃ６１］に記載の装置。
［Ｃ７１］
ワイヤレス通信のためのコンピュータプログラム製品であって、前記コンピュータプログラム製品は、コードを記憶した非一時的コンピュータ可読媒体を備え、前記コードは、
エンハンスド物理ダウンリンク制御チャネル（ｅ−ＰＤＣＣＨ）を送信するために利用可能なリソースの探索空間を判断することと、ここで、前記探索空間は、物理リソースブロック（ＰＲＢ）ペアの周波数−時間リソースの１つまたは複数のフラクショナル部分を備える、
前記判断された探索空間のリソースを利用して前記ｅ−ＰＤＣＣＨを送信することと
を行うために、１つまたは複数のプロセッサによって実行可能である、コンピュータプログラム製品。
［Ｃ７２］
前記リソースのフラクショナル部分は、周波数分割多重リソースを備える、
［Ｃ７１］に記載のコンピュータプログラム製品。
［Ｃ７３］
前記リソースのフラクショナル部分は、インターリーブされたトーンを備える、
［Ｃ７１］に記載のコンピュータプログラム製品。
［Ｃ７４］
前記ＰＲＢペア中で送信されるｅ−ＰＤＣＣＨの数にかかわらず、最大可能ランクに対応するパターンをもつ復調基準信号（ＤＭ−ＲＳ）を受信するためのコードをさらに備える、
［Ｃ７１］に記載のコンピュータプログラム製品。
［Ｃ７５］
周波数−時間リソースの各フラクショナル部分は、復調のためのアンテナポートに関連付けられる、
［Ｃ７１］に記載のコンピュータプログラム製品。
［Ｃ７６］
周波数−時間リソースの前記１つまたは複数のフラクショナル部分へのｅ−ＰＤＣＣＨのマッピングは、第１に周波数、第２に時間の方法に従う、
［Ｃ７１］に記載のコンピュータプログラム製品。
［Ｃ７７］
ＰＲＢペア中のｅ−ＰＤＣＣＨのための多重化能力は、サブフレームタイプに依存する、
［Ｃ７１］に記載のコンピュータプログラム製品。
［Ｃ７８］
チャネル状態情報−基準信号（ＣＳＩ−ＲＳ）またはダウンリンクパイロットタイムスロット（ＤｗＰＴＳ）を含んでいるサブフレームについて、前記多重化能力は、通常のダウンリンクサブフレームの多重化能力よりも小さい、
［Ｃ７７］に記載のコンピュータプログラム製品。
［Ｃ７９］
前記多重化能力は、ｅ−ＰＤＣＣＨのためのリソース要素（ＲＥ）の数がしきい値を下回るときにより小さい、
［Ｃ７８］に記載のコンピュータプログラム製品。
［Ｃ８０］
拡張サイクリックプレフィックスを用いるＰＲＢペア中のｅ−ＰＤＣＣＨの前記多重化能力は、ノーマルサイクリックプレフィックスを用いるＰＲＢペアの多重化能力よりも小さい、
［Ｃ７１］に記載のコンピュータプログラム製品。
【図１】
0005833248.tif 000002
【図２】
0005833248.tif 000003
【図３】
0005833248.tif 000004
【図４Ａ】
0005833248.tif 000005
【図４Ｂ】
0005833248.tif 000006
【図５】
0005833248.tif 000007
【図６】
0005833248.tif 000008
【図７】
0005833248.tif 000009
【図８】
0005833248.tif 000010
【図９】
0005833248.tif 000011
【図１０】
0005833248.tif 000012
【図１１】
0005833248.tif 000013
【図１２】
0005833248.tif 000014
【図１３】
0005833248.tif 000015
【図１４】
0005833248.tif 000016